(57)【特許請求の範囲】
【請求項１】
筐体と、
前記筐体内に配置される部品に対する電力を供給するバッテリと、
前記バッテリを取り付けるためのフレーム部材と
を備え、
前記バッテリは、前記フレーム部材に対し、バッテリ端子カバー部材を介して取り付けられ、
前記フレーム部材は、端部に締結部を備えた腕部を有し、
前記バッテリ端子カバー部材は、前記締結部に対し固定されることを特徴とする携帯端末装置。
【請求項２】
前記バッテリ端子カバー部材は、前記締結部に対し段付きネジで締結されていることを特徴とする請求項１に記載の携帯端末装置。
【請求項３】
前記バッテリ端子カバー部材に設けられたバッテリ端子は、前記バッテリに圧入されることを特徴とする請求項１または２に記載の携帯端末装置。
【請求項４】
前記腕部は、前記筐体に前記バッテリが取り付けられる際に前記バッテリ端子に向けて前記バッテリが進入する方向に延び、
前記バッテリ端子カバー部材は、前記腕部の弾性変形によって、前記筐体に対して移動可能に支持されていることを特徴とする請求項３に記載の携帯端末装置。
【発明の詳細な説明】
【技術分野】
【０００１】
本発明は、バッテリを電源として動作する携帯端末装置に関する。
【背景技術】
【０００２】
駐車違反等の取り締まり業務などの交通違反処理において、定型文書の作成作業の中に、ナンバープレート番号、免許証番号や住所氏名等の記入があり、手間がかかっていた。その効率化として、例えば特許文献１では、免許証番号をスキャナ等で入力し、データベースで検索することで、定型文書への免許証番号、住所氏名の記入を効率的にかつ間違いがなく記入できるようにしている。さらにその場で作成した定型文書を本庁のコンピューターに転送し、携帯端末装置に内蔵されたプリンタで違反切符をプリントし違反者に渡すことができるようになっている。また、カメラ部を装置に内蔵することで、交通違反現場を撮影することが可能になっている。
【０００３】
また、携帯端末装置はバッテリを電源として動作し、そのバッテリの端子構造として、例えば特許文献２では、本体側のバッテリ端子近傍にボスが立設されており、当該ボスをバッテリの嵌合孔に挿入してバッテリを固定している。
【先行技術文献】
【特許文献】
【０００４】
【特許文献１】特開平７−２８８８４号  公報
【特許文献２】特開２０００−３１５５２８号  公報
【発明の概要】
【発明が解決しようとする課題】
【０００５】
しかしながら、従来の携帯端末装置では、振動や落下衝撃が加わった際にはボスや電源端子が変形、破損して接触不良が発生し、機器へ電源が供給できなくなる可能性があった。
【０００６】
そこで、本発明は、電源供給の信頼性を向上させる携帯端末装置を提供する。
【課題を解決するための手段】
【０００７】
上記の課題を解決するための手段として、本発明における携帯端末装置は、筐体と、前記筐体内に配置される部品に対する電力を供給するバッテリと、前記バッテリを取り付けるためのフレーム部材とを備え、前記バッテリは、前記フレーム部材に対し、バッテリ端子カバー部材を介して取り付けられ、前記フレーム部材は、端部に締結部を備えた腕部を有し、前記バッテリ端子カバー部材は、前記締結部に対し固定されることを特徴とする。
【発明の効果】
【０００８】
本発明の携帯端末装置によれば、電源供給の信頼性を向上させることができる。
【図面の簡単な説明】
【０００９】
【図１】本発明の一実施例を示す携帯端末装置の正面図である。
【図２】本発明の一実施例を示す携帯端末装置の背面図である。
【図３】本発明の一実施例を示す携帯端末装置の背面側の斜視図である。
【図４】本発明の一実施例を示す携帯端末装置のグリップ部の断面図である。
【図５】本発明の一実施例を示す携帯端末装置の中央断面図である。
【図６】本発明の一実施例を示す携帯端末装置の放熱板周辺部を示す説明図である。
【図７】本発明の一実施例を示す携帯端末装置の分解斜視図である。
【図８】本発明の一実施例を示す携帯端末装置のバッテリ端子部を示す説明図である。
【図９】本発明の一実施例を示す携帯端末装置のバッテリ端子部を示す他の説明図である。
【図１０】本発明の一実施例を示す携帯端末装置のバッテリ端子カバー締結部を示す説明図である。
【図１１】本発明の一実施例を示す携帯端末装置のカバーヒンジ部の断面図である。
【図１２】本発明の一実施例を示す携帯端末装置のカバーが開いた状態を示す説明図である。
【図１３】本発明の一実施例を示す携帯端末装置のフレーム部材の固定方法を示す説明図である。
【図１４】本発明の一実施例を示す携帯端末装置のブロック図である。
【発明を実施するための形態】
【００１０】
（実施例）
以下、本発明の実施例について図面を参照しながら詳述する。図中、同じ符号は各図を通して共通である。また、本発明の実施例では、携帯端末装置の一例として交通違反処理の効率化として警察官が使用する携帯型発券機を例示する。
【００１１】
図１は、本発明の実施例における携帯型発券機１の正面図で、図２は図１の携帯型発券機１の背面図である。また、図３は図１２の携帯型発券機１の背面側から見た斜視図であり、図４は、図１２の携帯型発券機１の断面図である。
【００１２】
図１、図２、図３、図４は、それぞれ携帯型発券機１の各部の構成を示しており、図１に示す携帯型発券機１の正面側には、タッチパネル機能を備えた液晶表示部２と、確定キー等に割り当てられる操作部３が備えられている、さらには、非接触ＩＣカードＲ／Ｗ部４があり、ＩＣカードをかざすことで認識される。これにより、ＩＣカードの一例として運転免許証が読み取り可能となり、免許証番号、住所氏名等の情報が効率的に取得できる。他のＩＣカードにおいても同様に、ＩＣカードに対応付けられた情報の取得が可能となる。
【００１３】
携帯型発券機１にはＧＰＳユニット５が内蔵され、現在位置を常に把握できるようになっており、駐車違反の現場の位置情報も取得できるようになっている。これにより、住所や地図等の位置情報をプリンタ部８から印字することも可能となる。また、携帯型発券機１には、近接無線通信機能が内蔵されており、作成した定型文書がアンテナ部６を介して中継機（カプラ）へ送られ、さらに本庁等に無線で転送される。
【００１４】
また、機体正面上側部７には、印字装置であるプリンタ部８があり、ロール紙９が用紙収容部１０に収容され、切符などの文書を印字する。本実施例の場合は、交通違反処理の違反切符の発行に用いており、プリンタ部８は違反切符が変質したりすることがないように熱転写方式のプリンタを用いている。
【００１５】
図２は本発明の実施例における携帯型発券機１の背面図であり、機体背面中央部１４に撮像部としてカメラ１５を備え、光源として、ＬＥＤフラッシュ１６が配置されている。これらにより、交通違反車両を撮影して記録に残すことができ、夜間にナンバープレートの撮影を行うことも可能となる。また、図１の液晶表示部２でカメラ１５での撮像画像を確認しながら撮影する際に、カメラ１５の光軸と撮影対象面とが垂直でない場合、表示する撮像が歪んで表示されてしまうという問題があるが、本発明の実施例においては、液晶表示部２と携帯型発券機１の筐体の厚さ方向（紙面に垂直な方向）において重なるように配置されたカメラ１５の光軸と撮影対象面とが垂直になるので、的確に視認することができ、カメラ１５での撮像を所望の箇所に容易に合わせることができる。
【００１６】
また、本発明の実施例における携帯型発券機１は、左手で持って右手で操作しやすくするために、ハンドストラップの引っ掛け部４３を設け、不図示のハンドストラップで左手をホールドできるようにしている。
【００１７】
図３に示すように、機体背面下側部１１には、主電源としてグリップ部１７ａ内部に設けられたバッテリ部１２と、操作部である電源キー１３が設けられている。
【００１８】
本発明の実施例における携帯型発券機１では、グリップ部１７ａ、１７ｂが機体両端に設けられ、図３で示すように両手で機体を握りやすいようにそれぞれ凸面形状４５になっている。さらには、握った時に指が入る凹面形状４６が、カメラ１５の下に形成されている。
【００１９】
これにより、機器本体を安定状態で把持することができ、カメラ１５の撮像の操作性が向上する。また、カメラ１５が携帯型発券機１の背面から奥まったところにあるため、手で握った時に指が触れにくく、カメラ１５のレンズが汚れるのを防ぐことができる。
【００２０】
カメラ１５の上部にＬＥＤフラッシュ１６が配置され、ＬＥＤフラッシュ１６を携帯型発券機１の背面から凸形状にして配置している。カメラ１５が奥まって配置される部分におけるカメラ１５の略中央よりも上側の部分には、カメラ１５の外形に沿ったアーチ状の庇が形成され、防滴部を形成している。これら凸形状や庇の構成により、携帯型発券機１を両手で持った際や、ネックストラップ３４でぶら下げている場合に機体上部から滴下した水滴がカメラ１５に到達することを低減し、カメラ１５のレンズが汚れるのを防ぐことができる。
【００２１】
また、グリップ部１７ａ、１７ｂは、手で握ったまま確定キー３やタッチパネル２、シャッターボタン５０に指が届く配置になっている。さらに、グリップ部１７ａと、１７ｂの間にカメラ１５とＬＥＤフラッシュ１６が配置されており、グリップ部１７ａ、１７ｂを両手で握ったまま撮影動作にすぐに入ることができ、操作性を向上させている。
【００２２】
本発明の実施例における携帯型発券機１では、バッテリ１２をグリップ部１７ａに内蔵することで、重心が左手側に寄る配置となる。これにより、右手でタッチパネル２への入力や別の作業をする際にも持ち易くなる。また、グリップ部１７ａは、グリップ部１７ｂに比べて筐体の左右方向に対して広くなっている。グリップ部１７ａとカメラ１５との間には使用者がグリップ部１７ａを把持したときに指が挿入できる程度の隙間が空いている。これにより、使用者が左手のみで携帯型発券機１を把持しながらカメラ１５による撮像を行おうとした場合でも、カメラ１５と把持する手の距離を縮めることによって手振れしにくくすると同時に、さらに右手でグリップ部１７ｂを握る際には右手がカメラ１５に衝突することでカメラ１５を汚したり、破損するなどすることを低減できる。右手でグリップ部１７ｂを握る際には左手でグリップ部１７ａを握っているため安定性は保たれ、手振れは起こりにくい。
【００２３】
また、本発明の実施例における携帯型発券機１では、図３に示すように首から下げるネックストラップ３４が取り付け可能な装着部１８を左右に備えている。機体の上下方向に対して略中央よりも上寄りの位置に装着部１８を配置することで、機体全体の重量バランスを考慮し、ネックストラップ３４を付けて携帯型発券機１を首からぶら下げた状態ではプリンタ部８が上になるようにしている。携帯型発券機１を首からぶら下げた状態で液晶表示部２を内側（使用者側）に向けることで、液晶表示部２が保護され、また、グリップ部１７ａ、１７ｂが外側になるので両手ですぐに携帯型発券機１を持ち上げやすい構成になる。装着部１８を機体の上端部ではなく、中央付近に設けることで、装着部１８を軸として機体が回動した時のモーメントを低減しており、例えば、使用者が首から携帯型発券機１をぶら下げたまましゃがんだ時などに地面に機体がぶつかることによる衝撃を低減することができる。
【００２４】
機体正面から見て左側のグリップ部１７ａは、図４のグリップ部の断面図で示すように、内部にバッテリ１２が、後筐体４９と内部のフレーム部材２２との間にバッテリ収容部としての空間を設けて配置されており、機体の中で構造上膨らんだ部分が有効活用されている。また、図３に示すバッテリカバー４７を設けて内部のバッテリ１２が出し入れできるようになっている。
【００２５】
図５は、本発明の実施例における携帯型発券機１の中央断面図であり、図６は、本発明の実施例における放熱板２０の周辺部品における分解斜視図である。また、図７は、本発明の実施例における携帯型発券機１の分解斜視図である。
【００２６】
図５に示すように、本発明の実施例にける携帯型発券機１は、熱転写方式のプリンタユニット１９と、ＬＥＤフラッシュ１６の間にアルミ等の伝熱性の良い金属で形成された放熱板２０が備えられており、放熱板２０は両者の放熱を一部品で達成している。
【００２７】
図６に示すように、放熱板２０には、ねじ穴加工がされており、プリンタユニット１９と、ＬＥＤフラッシュ１６がそれぞれ反対面からねじ締結されている。すなわち、プリンタユニット１９とＬＥＤフラッシュ１６とが携帯型発券機１の筐体の厚さ方向において重なるように配置される。尚、放熱板２０は、プリンタユニット１９とＬＥＤフラッシュ１６との両者から熱を受け、それを積極的に放熱するための放熱構造を有してもよい。すなわち、プリンタユニット１９とＬＥＤフラッシュ１６がネジ締結される箇所以外に、放熱板２０の表面積を増やすための構造を備えてもよい。例えば、平板状の放熱部２０を、プリンタユニット１９とオーバーラップする箇所以上に延在させたり、放熱部２０のＬＥＤフラッシュ側の一部に立体的な構造を設ければよい。
【００２８】
ＬＥＤフラッシュ１６の放熱部をプリンタユニット１９の放熱部と兼用して放熱板２０を形成することにより、ＬＥＤフラッシュ１６の発光強度を強くすることができ、それによって、夜間でも携帯型発券機の利用をし易くすることができる。
【００２９】
ＬＥＤフラッシュ１６の周囲を覆うクッション材４８は、後筐体４９とＬＥＤフラッシュ１６との間に設けられ、落下衝撃からＬＥＤフラッシュ１６を保護するとともに、ＬＥＤフラッシュ１６から後筐体４９までの間を塞いでいることにより、ＬＥＤフラッシュ１６から発光される光が他に漏れることを防ぐという効果がある。
【００３０】
図７に示すように、携帯型発券機１はその他に、切符をカットするカッタ刃２１をフレーム部材２２に取り付け、前筐体２３、後筐体４９によって、制御基板２４やプリンタユニット１９、カメラ１５、ＬＥＤフラッシュ１６等が取り付けられたフレーム部材２２を内部に収容し、ロール紙９を覆うロール紙カバー４０等を取り付けて構成されている。フレーム部材２２には、液晶表示部２と制御基板２４が取り付けられており、それを前筐体２３にねじ締結で固定される。それらと、内部に収容される部品を覆うように一体に形成された後筐体４９が不図示の外装用ねじで締結される構成である。
【００３１】
ＬＥＤフラッシュ１６は、ＬＥＤライトとして常時点灯させ、暗闇での交通違反処理業務等に懐中電灯的に使用することも可能である。長時間使用し、ＬＥＤライトの発熱による携帯型発券機１の誤動作が課題となるが、放熱板２０により発熱が軽減される。
【００３２】
図８、図９は、本発明の実施例における、携帯型発券機のバッテリ端子３６を示す説明図である。
【００３３】
バッテリ端子３６は、バッテリ端子カバー３７を介してフレーム部材の腕部３８の端部の締結部５１でねじ締結されている。バッテリ１２とバッテリ端子３６の結合方向と直交する方向に振動が加わった場合、バッテリ端子３６が固定されていると、バッテリ１２の振動に対してバッテリ端子３６に負荷がかかり、端子の変形や折れが発生して接触不良が起こる可能性がある。本発明の実施例のようにフレーム部材２２に細長い腕部３８をバッテリ端子３６と平行方向に形成し、その端部に接続したバッテリ端子カバー３７に設けたバッテリ端子３６を介してバッテリ１２を保持することで、振動発生時にフレームの腕部３８が直交方向に撓って変形する。本発明の実施例においては、腕部３８はバッテリ端子３６に対して挟み込むように配置されているが、単一の腕部３８を形成してもよく、その場合バッテリと重なる位置に配置してもよい。また、バッテリ端子カバー３７は、フレーム部材２２に対して腕部３８のみで固定されている。但し、固定されている箇所以外においてもバッテリ端子３６と直交する方向に摺動可能なように係合するようにしてもよい。
【００３４】
これによりバッテリ１２とバッテリ端子３６が同時に動き、制振構造となり、バッテリ端子３６への負荷を抑えることができる。すなわち、車の中やバイクの荷台等に携帯型発券機１を長時間置いた際に受ける振動などに対して、バッテリ１２の振動方向と同じ方向に制振構造が働くので、バッテリ端子３６への負荷を抑えることができる。尚、バッテリ端子３６は、バッテリ１２に対して圧入される。通常、圧入させることで振動による接触性の低下を防ぐことができるが、圧入構造に対しては振動による負荷がかかりやすくなる。本発明では、制振構造を有する上に圧入構造としているため、バッテリ端子３６の破損を防ぎつつ、接触信頼性を向上している。
【００３５】
ここで、図１０は、フレーム部材２２の腕部３８の先端である締結部５１の断面図を示している。図１０で示すように締結部５１に段付きネジ５２を設け、バッテリ端子３６が固定されるバッテリ端子カバー３７と段付きネジ５２のフランジ部分との間に隙間ｄを設け、バッテリ端子３６をフローティング構造とすることで、さらに振動に対してバッテリ端子３６に負荷がかかりにくい構造にすることができる。
【００３６】
図１１は、本発明の実施例における、携帯型発券機の防滴構造の一例を示すロール紙カバーヒンジ部３９の断面図であり、図１２は、本発明の携帯型発券機の一実施例を示す携帯型発券機のロール紙カバー４０が開いた状態を示す説明図である。
【００３７】
図１１において、携帯型発券機１の後筐体４９にロール紙カバー４０を開閉可能に取り付けるためのロール紙カバーヒンジ部３９に対向し、後筐体４９と前筐体２３の接続部分を覆うようにして、防滴シート３５が配置されており、それによって、後筐体４９と前筐体２３との間もしくは前筐体２３とロール紙カバー４０との間への水滴の浸入を防いでいる。
【００３８】
図１２に示すように、本発明の実施例における携帯型発券機では、後筐体４９と前筐体２３との接続部分に対する水滴の浸入を防ぐ位置に、後筐体４９の左右に対して防滴シート３５をそれぞれ取り付けている。左右の防滴シート３５の間にはスポンジ（不図示）を配置して後筐体４９とロール紙カバー４０との隙間を埋めているため、ロール紙カバー４０が閉じた状態ではこの部分からの水滴の浸入はない。水滴が浸入する可能性のあるロール紙カバーヒンジ部３９に対向する部分に対し防滴シート３５を設けることによって機体内への水滴の浸入を効果的に防止している。
【００３９】
尚、防滴シートの取り付け位置は、ロール紙カバーヒンジ部３９における機体内部への水滴の浸入を防ぐことができる位置であればよく、前筐体２３やロール紙カバー４０に設けられてもよい。
【００４０】
図３に示すネックストラップ３４を使って警察官が首から吊り下げて雨天時に交通違反処理を行う際に、本発明の実施例における携帯型発券機１では、ロール紙カバー４０のヒンジ部３９が上になり、そこから水滴が浸水する可能性がある。そこで、防滴シート３５を筐体に接着させることで浸水を防いでいる。防滴シート３５は、折り曲げられたＰＥＴシート等で構成されている。ロール紙カバー４０の外側からロール紙カバーヒンジ部３９とロール紙カバー４０との間に浸入した水滴は、防滴シート３５で堰き止められ、ロール紙ヒンジ部３９と後筐体４９との間に形成された隙間（不図示）を通じて外部へ排出される。
【００４１】
また、交通違反処理では、１回の処理で複数の色の異なるロール紙９を交換し発券する必要がある。そこで、ロール紙カバー４０を閉じたままでも紙の色が判別できるように図１に示すような用紙窓４１が設けられている。
【００４２】
また、ロール紙９には発券する用紙の位置を決める黒いタイミングマークが設けられているが、図１２で示すようにそれを検知するフォトセンサー４１をロール紙カバー４０側に設けている。屋外で使用する場合、太陽光等の外乱光の影響による誤検知の危険があるため、ロール紙カバー４０を黒色にすることで、外乱光によるフォトセンサー４１への影響を低減している。
【００４３】
図１３は、携帯型発券機１の液晶表示部２を保持するフレーム部材２２の固定方法を示す説明図である。フレーム部材の引っ掛け部４４をカッタ刃２１に引っ掛けて固定している。なお、カッタ刃２１は本実施例では前筐体２３に熱溶着で固定されているものである。これにより、フレーム部材２２を固定するのにねじ締結のボスを立てる必要がなく、カッタ刃２１と液晶表示部２を近づけることができ、機体の小型化を図ることができる。
【００４４】
図１４は、本発明の実施例における、携帯型発券機の構成の一例を示すブロック図である。ＣＰＵ２５は、メモリ２６から読取可能に記録されたプログラムを読み出して実行することにより、携帯型発券機１を統括制御し、携帯型発券機１の各種機能を実現する。メモリ２６は、ＲＡＭ部とフラッシュメモリ部とから構成されている。
【００４５】
タッチパネルコントローラ２７は、タッチパネル２８からの入力を制御する。また、ＣＰＵ２５は、ＬＣＤドライバ２９を介して、液晶表示部２への各種表示を制御する。
【００４６】
近距離無線通信部３０は、送信先への接続を制御する。ＳｌａｖｅＣＰＵ３１は、ＣＰＵ２５からの指示によりプリンタ部８を制御する。また、ＣＰＵ２５は、カメラ１５への撮像機能と、ＬＥＤフラッシュ１６の発光機能を制御する。
【００４７】
制御用ＩＣ３２は、非接触ＩＣカードＲ／Ｗ部４を制御し、制御用ＩＣ３３は、バッテリ１２、操作部３を制御する。
【００４８】
以上、本発明の一実施例を図面に沿って説明したが、本発明は前記実施例において示された事項に限定されず、特許請求の範囲及び発明の詳細な説明の記載、並びに周知の技術に基づいて、その変更・応用を行うことができる範囲が含まれる。
【００４９】
以上、本発明を整理すると、本発明は、筐体と、前記筐体内に配置される部品に対する電力を供給するバッテリと、前記バッテリを取り付けるためのフレーム部材とを備え、前記バッテリは、前記フレーム部材に対し、バッテリ端子カバー部材を介して取り付けられ、前記フレーム部材は、端部に締結部を備えた腕部を有し、前記バッテリ端子カバー部材は、前記締結部に対し固定される。この構成によれば、電源供給の信頼性を向上させることができる。
【００５０】
また、前記バッテリ端子カバー部材は、前記締結部に対し段付きネジで締結されている。この構成によれば、振動に対してバッテリ端子に負荷がかかりにくくすることができる。
【００５１】
また、前記バッテリ端子カバー部材に設けられたバッテリ端子は、前記バッテリに圧入される。この構成によれば、バッテリ端子の破損を防ぎつつ、接触信頼性を向上できる。
【符号の説明】
【００５２】
１  携帯型発券機
２  液晶表示部
３  操作部
４  非接触ＩＣカードＲ／Ｗ部
５  ＧＰＳユニット
６  アンテナ部
７  機体正面上側
８  プリンタ部
９  ロール紙
１０  用紙収容部
１１  機体側面手前側
１２  バッテリ部
１３  電源キー
１４  機体背面中央部
１５  カメラ
１６  ＬＥＤフラッシュ
１７ａ、ｂ  グリップ部
１８  ネックストラップ装着部
１９  プリンタユニット
２０  放熱板
２１  カッタ刃
２２  フレーム部材
２３  前筐体
２４  制御基板
３４  ネックストラップ
３５  防滴シート
３６  バッテリ端子
３７  バッテリ端子カバー
３８  フレーム部材腕部
３９  ロール紙カバーヒンジ部
４０  ロール紙カバー
４１  用紙窓
４２  フォトセンサー
４３  ハンドストラップ引っ掛け部
４４  フレーム部材引っ掛け部
４５  凸面形状
４６  凹面形状
４７  バッテリカバー
４８  クッション材
４９  後筐体
５０  シャッターボタン
５１  締結部
５２  段付きネジ
【図１】
0006571458.tif 000002
【図２】
0006571458.tif 000003
【図３】
0006571458.tif 000004
【図４】
0006571458.tif 000005
【図５】
0006571458.tif 000006
【図６】
0006571458.tif 000007
【図７】
0006571458.tif 000008
【図８】
0006571458.tif 000009
【図９】
0006571458.tif 000010
【図１０】
0006571458.tif 000011
【図１１】
0006571458.tif 000012
【図１２】
0006571458.tif 000013
【図１３】
0006571458.tif 000014
【図１４】
0006571458.tif 000015